(57)【要約】【課題】  本発明は、リモコンの電池が切れていたり、リモコンが見つからなかったりした場合にも、リモコンと同様の操作を行うことができ、ユーザが所望する操作を行うことができるＡＶ機器を提供することを課題とする。【解決手段】  ＯＳＤ制御部２１は、リモコン表示キー１３が押下されると、リモコンと同様の操作を行うためのリモコン画面を生成して出力する。リモコン画面には、リモコンに設けられている全てのキーが、リモコンと同一のレイアウトで配置されており、ユーザは、リモコンで行う操作と同様の操作をリモコン画面に基づいて行うことができる。【選択図】        図２
2005303536.tif 000002
【特許請求の範囲】
【請求項１】
リモコンによって各種操作を行うＡＶ機器であって、
前記リモコンに設けられている全てのキーが配置されているリモコン画面を生成して出力するＯＳＤ制御手段と、
前記リモコン画面に配置されたキーを選択する選択手段と、
該選択手段によって選択されたキーを操作する操作手段とを具備し、
ディスプレイ装置に表示された前記リモコン画面に基づいて前記リモコンと同様の操作が行えることを特徴とするＡＶ機器。
【請求項２】
前記リモコン画面に配置されたキーは、前記リモコンと同一のレイアウトで配置されていることを特徴とする請求項１記載のＡＶ機器。
【発明の詳細な説明】
【技術分野】
【０００１】
本発明は、テレビジョン受像機、情報再生装置（ＤＶＤプレーヤ、ビデオテープレコーダ等）、オーディオアンプ等のＡＶ機器に関し、特に各種設定値をディスプレイに表示しながら設定できるＯＳＤ（On Screen Display）機能を有するＡＶ機器に関する。
【背景技術】
【０００２】
近年、テレビジョン受像機、情報再生装置（ＤＶＤプレーヤ、ビデオテープレコーダ等）、オーディオアンプ等のＡＶ機器は、機器本体の小型化やデザイン等の関係から機器本体に設けるキーを最小限にとどめ、リモコンを用いて各種操作を行うことが主流となっており、リモコンが電池切れ等の理由によって使用できない場合には、ユーザが所望する操作が行えなくなってしまうことがある。
【０００３】
そこで、リモコンが電池切れになった際に、速やかに電池を交換することができるように、リモコンから受光する赤外光の出力レベルに基づいてリモコンに備えられた電池の残り容量を検出し、電池の残り容量が所定値以下となったとき、電池切れ間近であることをユーザに知らせる技術が提案されている（例えば、特許文献１参照）。
【０００４】
しかしながら、従来技術では、電池切れ間近であることをユーザに知らせることができるものの、実際にリモコンが使用できなくなった場合（リモコンの故障や紛失）に対応できるものではなく、リモコンが使用できなくなった場合には、ユーザが所望する操作が行えなくなってしまうという問題点があった。
【特許文献１】特開平１１−４１６７０号公報
【発明の開示】
【発明が解決しようとする課題】
【０００５】
本発明は斯かる問題点を鑑みてなされたものであり、その目的とするところは、リモコンの電池が切れていたり、リモコンが見つからなかったりした場合にも、リモコンと同様の操作を行うことができ、ユーザが所望する操作を行うことができるＡＶ機器を提供する点にある。
【課題を解決するための手段】
【０００６】
本発明は上記課題を解決すべく、以下に掲げる構成とした。
本発明のＡＶ機器は、リモコンによって各種操作を行うＡＶ機器であって、前記リモコンに設けられている全てのキーが配置されているリモコン画面を生成して出力するＯＳＤ制御手段と、前記リモコン画面に配置されたキーを選択する選択手段と、該選択手段によって選択されたキーを操作する操作手段とを具備し、ディスプレイ装置に表示された前記リモコン画面に基づいて前記リモコンと同様の操作が行えることを特徴とする。
【０００７】
さらに本発明のＡＶ機器は、前記リモコン画面に配置されたキーは、前記リモコンと同一のレイアウトで配置されていることを特徴とする。
【発明の効果】
【０００８】
本発明のＡＶ機器は、リモコンに設けられている全てのキーが配置されているリモコン画面を生成して出力し、リモコン画面に基づいてリモコンと同様の操作が行えるように構成することにより、リモコンの電池が切れていたり、リモコンが見つからなかったりした場合にも、リモコンと同様の操作を行うことができ、ユーザが所望する操作を行うことができるという効果を奏する。
【０００９】
さらに、本発明のＡＶ機器は、リモコン画面に配置されたキーをリモコンと同一のレイアウトとすることにより、リモコンに慣れたユーザがリモコン画面に基づいて簡単に操作することができるという効果を奏する。
【発明を実施するための最良の形態】
【００１０】
以下、本発明の実施の形態を図面に基づいて詳細に説明する。
【００１１】
図１は、本発明に係るＡＶ機器の実施の形態の前面構成を示す概略図であり、図２は、本発明に係るＡＶ機器の実施の形態の構成を示すブロック図であり、図３は、図２に示すＯＳＤ制御部によって表示されるリモコン画面例を示す図であり、図４は、図２に示すＯＳＤ制御部によって表示されるリモコン画面例と他のＯＳＤ画面との配置関係を示す図である。
【００１２】
本実施の形態のＡＶ機器１は、ＤＶＤ（Digital Versatile Disk）等のディスク状記録媒体５に記憶されている映像情報および音響情報を再生する情報再生装置であり、図１を参照すると、液晶テレビ等の表示および音声出力手段であるディスプレイ装置３に接続されて用いられ、ディスプレイ装置３にビデオ信号とオーディオ信号とを供給する。
【００１３】
ＡＶ機器１の前面部には、電源の投入および切断を指示する電源キー１１と、ディスク状記録媒体５が挿入されるディスク挿入口１２と、リモコン画面の表示を指示するリモコン表示キー１３と、再生キー１４ａ、停止キー１４ｂ、早送りキー１４ｃおよび巻き戻しキー１４ｄからなる操作部１４とが設けられている。また、ＡＶ機器１の前面部には、リモコン４からの赤外光が入射される受光部１５が設けられ、リモコン４にてＡＶ機器１の動作を制御できるように構成されている。
【００１４】
ＡＶ機器１は、図２を参照すると、装置全体を制御する中央制御部１６と、信号処理部１７と、サーボ制御部１８と、ビデオデコーダ１９と、オーディオデコーダ２０と、ＯＳＤ制御部２１と、ＯＳＤ画面記憶部２２とからなり、電源キー１１、リモコン表示キー１３、操作部１４および受光部１５が中央制御部１６に接続されている。
【００１５】
信号処理部１７は、中央制御部１６の制御下にあり、ディスク状記録媒体５に記録された映像情報および音響情報を読み出して、復調処理、符号誤り訂正処理およびＤ／Ａ変換処理を行ってビデオ信号成分とオーディオ信号成分とからなる再生信号を生成し、生成した再生信号をビデオデコーダ１９およびオーディオデコーダ２０に出力する。
【００１６】
サーボ制御部１８は、中央制御部１６の制御下にあり、ディスク状記録媒体５に記録された映像情報および音響情報を読み出すために必要なディスク回転制御と光ピックアップのトラッキングおよびフォーカシング制御を行う。
【００１７】
ビデオデコーダ１９は、信号処理部１７から出力される再生信号の中から画像となるビデオ信号を分離して生成し、ビデオデコーダ１９によって生成されたビデオ信号は、ディスプレイ装置３に出力される。
【００１８】
オーディオデコーダ２０は、信号処理部１７から出力される再生信号の中からオーディオ信号を分離して生成し、オーディオデコーダ２０によって生成されたオーディオ信号は、ディスプレイ装置３に出力される。
【００１９】
ＯＳＤ制御部２１は、中央制御部１６からの指示に基づいて、リモコン４と同様の操作を行うためのリモコン画面６と、各種設定値を設定するためのＯＳＤ画面７とを生成し、ＯＳＤ制御部２１によって生成されたリモコン画面６およびＯＳＤ画面７は、ビデオデコーダ１９から出力されるビデオ信号に重畳されたディスプレイ装置３に出力される。
【００２０】
ＯＳＤ画面記憶部２２は、リモコン画面６およびＯＳＤ画面７を生成するためのデータが記憶されているデータ記憶手段である。
【００２１】
次に、本実施の形態の動作について詳細に説明する。
ユーザがＡＶ機器１を操作するに際し、リモコン４の電池が切れていたり、リモコン４が見つからなかったりした場合には、リモコン表示キー１３を押下する。リモコン表示キー１３が押下されると、中央制御部１６は、ＯＳＤ制御部２１にリモコン画面６の表示を指示し、ＯＳＤ制御部２１は、ＯＳＤ画面記憶部２２に記憶されているデータに基づいてリモコン画面６を生成し、生成したリモコン画面６をディスプレイ装置３に出力する。
【００２２】
リモコン画面６には、図３を参照するように、リモコン４に設けられている全てのキーが、リモコン４と同一のレイアウトで配置されており、選択されたキーには、カーソルが表示されている。なお、リモコン４が蓋の開閉等によって各キーに割り付けられている機能を切り換えることができる構成である場合には、機能切り換えキーをリモコン画面に追加し、機能切り換えキーが操作されると、蓋が開いている状態のリモコン画面に切り換え、機能が切り換えられたキーを表示し、機能が切り換えられた各キーを選択可能な構成すると良い。
【００２３】
また、中央制御部１６は、操作部１４に割り当てられている機能を切り換えて、早送りキー１４ｃおよび巻き戻しキー１４ｄを、リモコン画面６に表示された各キーを選択する選択キーとして機能させると共に、再生キー１４ａおよび停止キー１４ｂを、選択されたキーを操作する操作キーとして機能させる。
【００２４】
操作部１４の早送りキー１４ｃもしくは巻き戻しキー１４ｄが操作されると、中央制御部１６は、ＯＳＤ制御部２１にカーソルの移動を指示し、ＯＳＤ制御部２１は、カーソルを移動させる。従って、ユーザは、早送りキー１４ｃもしくは巻き戻しキー１４ｄが操作することにより、リモコン画面６に表示されたキーの中から所望のキーを選択することができる。
【００２５】
次に、ユーザ所望のキーが選択されている状態で、すなわちユーザ所望のキーにカーソルが表示されている状態で、再生キー１４ａもしくは停止キー１４ｂが操作されると、中央制御部１６は、選択されているキーに割り当てられている機能を実行する。従って、ユーザは、リモコン４で行う操作と同様の操作をリモコン画面６に基づいて行うことができる。
【００２６】
なお、リモコン画面６が表示されている状態、すなわちリモコン画面６に基づく操作を行っている際に、ＯＳＤ制御部２１によって他のＯＳＤ画面７が表示されることがあり、この場合には、ＯＳＤ制御部２１は、図４に示すように、リモコン画面６と他のＯＳＤ画面７とが重ならないように制御する。これにより、リモコン画面６に邪魔されることなく、ＯＳＤ画面７による各種設定を行うことが可能になる。
【００２７】
リモコン画面６に基づく操作が終了した場合には、再びリモコン表示キー１３を押下する。リモコン表示キー１３が押下されると、中央制御部１６は、ＯＳＤ制御部２１にリモコン画面６の表示の停止を指示し、ＯＳＤ制御部２１は、リモコン画面６のディスプレイ装置３への出力を停止する。なお、リモコン画面６が表示されている状態で、予め定められた所定時間以上、操作部１４の操作が行われなかった場合に、リモコン画面６を消すようにしても良い。
【００２８】
以上説明したように、本実施の形態によれば、リモコン４に設けられている全てのキーが配置されているリモコン画面６を生成して出力し、リモコン画面６に基づいてリモコン４と同様の操作が行えるように構成することにより、リモコン４の電池が切れていたり、リモコンが見つからなかったりした場合にも、リモコン４と同様の操作を行うことができ、ユーザが所望する操作を行うことができるという効果を奏する。
【００２９】
さらに、本実施の形態によれば、リモコン画面６に配置されたキーをリモコン４と同一のレイアウトとすることにより、リモコン４に慣れたユーザがリモコン画面６に基づいて簡単に操作することができるという効果を奏する。
【００３０】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００３１】
【図１】本発明に係るＡＶ機器の実施の形態の前面構成を示す概略図である。
【図２】本発明に係るＡＶ機器の実施の形態の構成を示すブロック図である。
【図３】図２に示すＯＳＤ制御部によって表示されるリモコン画面例を示す図である。
【図４】図２に示すＯＳＤ制御部によって表示されるリモコン画面例と他のＯＳＤ画面との配置関係を示す図である。
【符号の説明】
【００３２】
１  ＡＶ機器
３  ディスプレイ装置
４  リモコン
５  ディスク状記録媒体
６  リモコン画面
７  ＯＳＤ画面
１１  電源キー
１２  ディスク挿入口
１３  リモコン表示キー
１４  操作部
１４ａ  再生キー（操作手段）
１４ｂ  停止キー（操作手段）
１４ｃ  早送りキー（選択手段）
１４ｄ  巻き戻しキー（選択手段）
１５  受光部
１６  中央制御部
１７  信号処理部
１８  サーボ制御部
１９  ビデオデコーダ
２０  オーディオデコーダ
２１  ＯＳＤ制御部（ＯＳＤ制御手段）
２２  ＯＳＤ画面記憶部
【図１】
2005303536.tif 000003
【図２】
2005303536.tif 000004
【図３】
2005303536.tif 000005
【図４】
2005303536.tif 000006